(57)【特許請求の範囲】
【請求項１】
被検者に対して内容の異なる複数の検査を進行順序に沿ってインターバルを挟みつつ順次実行する検査実行制御部と、
前記検査実行制御部により実行される前記複数の検査の進行状況を判断する進行状況判断部と、
前記進行状況判断部により判断された進行状況を表示部に表示するように制御する表示制御部と、
を備え、
前記表示制御部は、前記進行状況を表す工程表を、連続する検査の表示枠間の間隔を空けない形態で前記表示部に表示する、
ことを特徴とする生体検査装置。
【請求項２】
被検者に対して、いずれもカフの加減圧を伴い且つ互いに内容の異なる複数の検査を進行順序に沿って順次実行する検査実行制御部と、
前記検査実行制御部により実行される前記複数の検査の進行状況を判断する進行状況判断部と、
前記進行状況判断部により判断された進行状況を表示部に表示するように制御する表示制御部と、
を備え、
前記表示制御部は、前記進行状況を表す工程表を、連続する検査の表示枠間の間隔を空けない形態で前記表示部に表示する、
ことを特徴とする生体検査装置。
【請求項３】
前記表示制御部は、前記進行状況を表示するために、前記検査実行制御部により現時点で実行されている検査、および、前記検査実行制御部により今後実行される検査をそれぞれ識別可能に表示することを特徴とする、請求項１または２に記載の生体検査装置。
【請求項４】
前記表示制御部は、前記進行状況を表示するために、前記検査実行制御部により既に実行された検査、前記検査実行制御部により現時点で実行されている検査、および、前記検査実行制御部により今後実行される検査をそれぞれ識別可能に表示することを特徴とする、請求項１または２に記載の生体検査装置。
【請求項５】
前記実行制御部は、前記複数の検査から成る血圧脈波検査を実行することを特徴とする、請求項１〜４の何れか１項に記載の生体検査装置。
【請求項６】
被検者に対して内容の異なる複数の検査を進行順序に沿ってインターバルを挟みつつ順次実行する生体検査装置における進行状況表示方法であって、
前記生体検査装置により実行される前記複数の検査の進行状況を判断する第１のステップと、
前記第１のステップにより判断された進行状況を表示部に表示するように制御する第２のステップとを有し、
前記第２のステップは、前記進行状況を表す工程表を、連続する検査の表示枠間の間隔を空けない形態で前記表示部に表示する、
ことを特徴とする進行状況表示方法。
【請求項７】
被検者に対して、いずれもカフの加減圧を伴い且つ互いに内容の異なる複数の検査を進行順序に沿って順次実行する生体検査装置における進行状況表示方法であって、
前記生体検査装置により実行される前記複数の検査の進行状況を判断する第１のステップと、
前記第１のステップにより判断された進行状況を表示部に表示するように制御する第２のステップとを有し、
前記第２のステップは、前記進行状況を表す工程表を、連続する検査の表示枠間の間隔を空けない形態で前記表示部に表示する、
ことを特徴とする進行状況表示方法。
【請求項８】
被検者に対して内容の異なる複数の検査を進行順序に沿ってインターバルを挟みつつ順次実行する検査実行制御部と、
前記検査実行制御部により実行される前記複数の検査の進行状況を判断する進行状況判断部と、
前記進行状況判断部により判断された進行状況を表示部に表示するように制御する表示制御部として機能させるためのコンピュータ読み取り可能な進行状況表示プログラムであって、
前記表示制御部は、前記進行状況を表す工程表を、連続する検査の表示枠間の間隔を空けない形態で前記表示部に表示する、
ことを特徴とするコンピュータ読み取り可能な進行状況表示プログラム。
【請求項９】
被検者に対して、いずれもカフの加減圧を伴い且つ互いに内容の異なる複数の検査を進行順序に沿って順次実行する検査実行制御部と、
前記検査実行制御部により実行される前記複数の検査の進行状況を判断する進行状況判断部と、
前記進行状況判断部により判断された進行状況を表示部に表示するように制御する表示制御部として機能させるためのコンピュータ読み取り可能な進行状況表示プログラムであって、
前記表示制御部は、前記進行状況を表す工程表を、連続する検査の表示枠間の間隔を空けない形態で前記表示部に表示する、
ことを特徴とするコンピュータ読み取り可能な進行状況表示プログラム。
【発明の詳細な説明】
【技術分野】
【０００１】
本発明は、生体検査装置、進行状況表示方法および進行状況表示プログラムに関し、例えば、動脈硬化度を導出するために、被検者に対して内容の異なる複数の検査を進行順序に沿って順次実行する血圧脈波検査装置に用いて好適なものである。
【背景技術】
【０００２】
動脈硬化の検査には、例えば、下肢血管の血流障害の検査と、動脈伸展性の検査とがある。これらの検査に用いられる血圧脈波検査装置は、血圧や脈波といった生体情報を計測して、動脈硬化の指標（以下「動脈硬化度」という）を導出する。
【０００３】
血圧脈波検査装置は、検査を受ける被検者の動脈硬化度を導出するために、脈波検査、四肢血圧検査、足趾血圧検査といった内容の異なる複数の検査を進行順序に沿って順次実行する。ここで、脈波検査は、四肢（両腕、両脚）に巻いたカフを用いて四肢の脈波を計測する検査である。四肢血圧検査は、四肢に巻いたカフを用いて四肢の血圧を計測する検査である。足趾血圧検査は、足の指に巻いたカフを用いて足趾の血圧を測定する検査である。
【０００４】
なお、血圧脈波検査装置の信頼性や効率性を向上するため、被検者の脈波を取得するとともに当該取得した脈波の特徴点を検出し、検出した脈波の特徴点と取得した脈波の波形を画面表示する技術が提案されている（例えば、特許文献１を参照）。
【先行技術文献】
【特許文献】
【０００５】
【特許文献１】特開２００８−１６８０７３号公報
【発明の概要】
【発明が解決しようとする課題】
【０００６】
ところで、血圧脈波検査装置により行われる脈波検査、四肢血圧検査、足趾血圧検査等の複数の検査工程においては、それぞれカフに空気を導入することによりカフの加圧を行ったのち、空気を排出することによりカフの減圧を行う。つまり、血圧脈波検査では、通常の血圧検査で１回だけ行われるカフの加圧および減圧が複数回行われる。また、次の検査への移行時においては、血流の回復を待ったり、血管に生じたスパスム等の生体反応からの回復を待ったりする為、前の検査の減圧後すぐに次の検査に移行する（具体的にはカフの加圧を開始する）ことをせず、ある程度のインターバル（例えば５〜１０秒）を設けてから、次の検査へ移行する。そのため、血圧脈波検査の途中であるにも拘わらず、例えば最初のカフの加圧および減圧が行われた時点や各検査のインターバル中に、被検者は検査が終了したと勘違いして起きあがってしまう場合があるという問題があった。また、装置を操作し検査を行う医師や検査技師等の操作者も、検査の進行状況が直感的に理解出来ない為、被検者に対して検査が終了したのか否か、あとどの程度で検査が終了するのか、適切な指導をすることが出来ず、被検者が起き上がってしまう場合があった。この場合、血圧脈波検査を最初からやり直さなくてはならず大変不便である。
【０００７】
本発明は、このような問題を解決するために成されたものであり、生体検査の途中であるにも拘わらず、被検者が、検査が終了したと勘違いしてしまうことを確実に防止し、また操作者が被検者に検査の状況を把握し、被検者を適切に指導出来るような生体検査装置、進行状況表示方法および進行状況表示プログラムを提供することを目的とする。
【課題を解決するための手段】
【０００８】
本発明に係る生体検査装置は、被検者に対して内容の異なる複数の検査を進行順序に沿ってインターバルを挟みつつ順次実行する検査実行制御部と、
前記検査実行制御部により実行される前記複数の検査の進行状況を判断する進行状況判断部と、
前記進行状況判断部により判断された進行状況を表示部に表示するように制御する表示制御部とを備え、
前記表示制御部は、前記進行状況を表す工程表を、連続する検査の表示枠間の間隔を空けない形態で前記表示部に表示することを特徴とする。
また、本発明に係る生体検査装置は、被検者に対して、いずれもカフの加減圧を伴い且つ互いに内容の異なる複数の検査を進行順序に沿って順次実行する検査実行制御部と、
前記検査実行制御部により実行される前記複数の検査の進行状況を判断する進行状況判断部と、
前記進行状況判断部により判断された進行状況を表示部に表示するように制御する表示制御部と、
を備え、
前記表示制御部は、前記進行状況を表す工程表を、連続する検査の表示枠間の間隔を空けない形態で前記表示部に表示することを特徴とする。
【０００９】
また、本発明に係る進行状況表示方法は、被検者に対して内容の異なる複数の検査を進行順序に沿ってインターバルを挟みつつ順次実行する生体検査装置における進行状況表示方法であって、
前記生体検査装置により実行される前記複数の検査の進行状況を判断する第１のステップと、
前記第１のステップにより判断された進行状況を表示部に表示するように制御する第２のステップとを有し、
前記第２のステップは、前記進行状況を表す工程表を、連続する検査の表示枠間の間隔を空けない形態で前記表示部に表示することを特徴とする。
また、本発明に係る進行状況表示方法は、被検者に対して、いずれもカフの加減圧を伴い且つ互いに内容の異なる複数の検査を進行順序に沿って順次実行する生体検査装置における進行状況表示方法であって、
前記生体検査装置により実行される前記複数の検査の進行状況を判断する第１のステップと、
前記第１のステップにより判断された進行状況を表示部に表示するように制御する第２のステップとを有し、
前記第２のステップは、前記進行状況を表す工程表を、連続する検査の表示枠間の間隔を空けない形態で前記表示部に表示することを特徴とする。
【００１０】
また、本発明に係る進行状況表示プログラムは、被検者に対して内容の異なる複数の検査を進行順序に沿ってインターバルを挟みつつ順次実行する検査実行制御部と、
前記検査実行制御部により実行される前記複数の検査の進行状況を判断する進行状況判断部と、
前記進行状況判断部により判断された進行状況を表示部に表示するように制御する表示制御部として機能させるためのコンピュータ読み取り可能な進行状況表示プログラムであって、
前記表示制御部は、前記進行状況を表す工程表を、連続する検査の表示枠間の間隔を空けない形態で前記表示部に表示することを特徴とする。
また、本発明に係る進行状況表示プログラムは、被検者に対して、いずれもカフの加減圧を伴い且つ互いに内容の異なる複数の検査を進行順序に沿って順次実行する検査実行制御部と、
前記検査実行制御部により実行される前記複数の検査の進行状況を判断する進行状況判断部と、
前記進行状況判断部により判断された進行状況を表示部に表示するように制御する表示制御部として機能させるためのコンピュータ読み取り可能な進行状況表示プログラムであって、
前記表示制御部は、前記進行状況を表す工程表を、連続する検査の表示枠間の間隔を空けない形態で前記表示部に表示することを特徴とする。
【発明の効果】
【００１１】
本発明によれば、被検者や操作者に対して順次実行される複数の検査の進行状況が表示され、被検者や操作者は、あとどれくらいで検査が終わるかを具体的に把握することができ、生体検査が最後まで終わったかを直感的に理解することができる。よって、生体検査の途中であるにも拘わらず、被検者が、検査が終了したと勘違いしてしまうことを防止することができる。
【図面の簡単な説明】
【００１２】
【図１】本実施の形態における血圧脈波検査装置の構成例を示すブロック図である。
【図２】本実施の形態における計測画面の表示例を示す図である。
【図３】本実施の形態における血圧脈波検査装置の動作例を示すフローチャートである。
【発明を実施するための形態】
【００１３】
以下、本発明の実施の形態を図面に基づいて詳細に説明する。図１は、本実施の形態における血圧脈波検査装置１００の構成例を示すブロック図である。血圧脈波検査装置１００は、動脈硬化を総合的に診断するための血圧脈波検査に関する各種処理を実行する。図１に示すように、血圧脈波検査装置１００には、操作入力部１２０およびディスプレイ１４０が接続されている。なお、血圧脈波検査装置１００は、特許請求の範囲の「生体検査装置」に対応する。また、ディスプレイ１４０は、特許請求の範囲の「表示部」に対応する。
【００１４】
操作入力部１２０は、血圧脈波検査装置１００に対する操作者の指示を入力する。本実施形態では、操作入力部１２０は、例えば、タッチパネルまたは操作スイッチ等の入力装置を含んで構成される。ディスプレイ１４０は、血圧脈波検査装置１００により生成された計測画面を表示する。
【００１５】
次に、血圧脈波検査装置１００の内部構成について説明する。図１に示すように、血圧脈波検査装置１００は、操作受付部２００、検査実行制御部２２０、心音計測部２４０、心電図計測部２６０、血圧脈波計測部２８０、進行状況判断部３００、計測画面生成部３２０および表示制御部３４０を備えて構成されている。
【００１６】
操作受付部２００は、操作入力部１２０を介して、血圧脈波検査を実行する際に必要な入力操作を受け付ける。例えば、操作受付部２００は、操作入力部１２０を介して、血圧脈波検査の実行を指示する実行指示操作を受け付ける。この場合、操作受付部２００は、実行指示操作を受け付けた旨を検査実行制御部２２０に通知する。
【００１７】
検査実行制御部２２０は、実行指示操作を受け付けた旨の通知を操作受付部２００から受けた場合、血圧脈波検査に含まれる複数の検査を進行順序に沿って順次実行する。検査実行制御部２２０は、所定時間（例えば、１秒）毎に、現時点で実行している検査を進行状況判断部３００に通知する。
【００１８】
具体的には、検査実行制御部２２０は、被検者の四肢に巻かれたカフ（図示せず）を用いて四肢の脈波を計測する四肢脈波検査、当該カフを用いて右上腕および右足首の血圧を計測する右血圧検査、当該カフを用いて左上腕および左足首の血圧を計測する左血圧検査、足趾に巻いたカフを用いて足趾の血圧を測定する足趾血圧検査、右分節（例えば、右大腿および右膝下）に装着された脈波センサ（図示せず）を用いて右分節の脈波を計測する右分節脈波検査、および、左分節（例えば、左大腿および左膝下）に装着された脈波センサを用いて左分節の脈波を計測する左分節脈波検査を順番（記載した順番）に実行する。上述の検査を全て実行した後、検査実行制御部２２０は、血圧脈波検査に含まれる複数の検査結果に基づいて、動脈硬化度の算出を行うことができる。
【００１９】
心音計測部２４０は、被検者に装着された心音マイク（図示せず）により検出された心音信号を計測画面生成部３２０に出力する。心電図計測部２６０は、被検者に装着された四肢用心電電極部（図示せず）および胸部用心電電極部（図示せず）により検出された心電図信号を計測画面生成部３２０に出力する。ここで、四肢用心電電極部は、右手首、左手首、右足首および左足首にそれぞれ装着される４つの心電電極から構成される。また、胸部用心電電極部は、胸部の６箇所にそれぞれ装着される６つの心電電極から構成される。
【００２０】
血圧脈波計測部２８０は、検査実行制御部２２０が実行する各種検査と連動して、血圧の計測および脈波の計測を行う。つまり、血圧脈波計測部２８０は、四肢の脈波を計測し、当該計測した脈波信号を計測画面生成部３２０に出力する。また、血圧脈波計測部２８０は、右分節および左分節の脈波を計測し、当該計測した脈波信号を計測画面生成部３２０に出力する。
【００２１】
また、血圧脈波計測部２８０は、右上腕および右足首の血圧を計測し、当該計測した血圧信号を計測画面生成部３２０に出力する。また、血圧脈波計測部２８０は、左上腕および左足首の血圧を計測し、当該計測した血圧信号を計測画面生成部３２０に出力する。また、血圧脈波計測部２８０は、足趾の血圧を計測し、当該計測した血圧信号を計測画面生成部３２０に出力する。
【００２２】
進行状況判断部３００は、検査実行制御部２２０からの通知を受けることによって、検査実行制御部２２０により実行される複数の検査の進行状況を判断する。ここで、進行状況とは、血圧脈波検査の終了までに実施される複数の検査の中で、現在、どの検査工程に滞在しているか等を指す。そして、進行状況判断部３００は、判断した進行状況を示す進行状況情報を計測画面生成部３２０に出力する。
【００２３】
計測画面生成部３２０は、心音計測部２４０から出力された心音信号、心電図計測部２６０から出力された心電図信号、血圧脈波計測部２８０から出力された脈波信号および血圧信号に基づいて、血圧脈波検査の実行過程において計測された各生体情報を一元的に表示するための計測画面を生成する。本実施形態では、計測画面生成部３２０は、進行状況判断部３００から出力された進行状況情報に基づいて、検査実行制御部２２０により実行される複数の検査の進行状況を示す工程表を生成し、当該生成した工程表を含めて計測画面を生成する。そして、計測画面生成部３２０は、生成した計測画面を表示制御部３４０に出力する。
【００２４】
表示制御部３４０は、計測画面生成部３２０から出力された計測画面をディスプレイ１４０に表示する。
【００２５】
図２は、本実施形態による計測画面の表示例を示す図である。図２の計測画面には、血圧脈波検査の実行過程において計測された各生体情報を一元的に表示する領域４００において、心電図計測部２６０から出力された心電図信号に基づく心電図波形（ＥＣＧ）、心音計測部２４０から出力された心音信号に基づく心音波形（ＰＣＧ）、血圧脈波計測部２８０から出力された脈波信号に基づく右上腕脈波波形（右上腕）、左上腕脈波波形（左上腕）、右足首脈波波形（右足首）および左足首脈波波形（左足首）がそれぞれ上から順に表示されている。なお、これらの波形は、計測時間の経過に伴って右手方向に並進する。
【００２６】
また、計測画面には、検査実行制御部２２０により実行される複数の検査の進行状況を示す工程表４２０が表示されている。工程表４２０は、検査前の準備処理に対応する「準備」工程を除き、検査が実行される順に左から、「脈波取得（四肢脈波検査に対応）」工程、「右血圧（右血圧検査に対応）」工程、「左血圧（左血圧検査に対応）」工程、「足趾血圧（足趾血圧検査に対応）」工程、「右分節脈波（右分節脈波検査に対応）」工程および「左分節脈波（左分節脈波検査に対応）」工程から構成される。さらに、工程表４２０では、検査実行制御部２２０により既に実行された検査（図２の例では、脈波取得（四肢脈波検査）および右血圧（右血圧検査））、検査実行制御部２２０により現時点で実行されている検査（図２の例では、左血圧（左血圧検査））、および、検査実行制御部２２０により今後実行される検査（図２の例では、足趾血圧（足趾血圧検査）、右分節脈波（右分節脈波検査）および左分節脈波（左分節脈波検査））をそれぞれ識別可能に（つまり、各工程の背景色を異ならせて）表示している。
【００２７】
図２に示す計測画面を見た被検者や操作者は、あとどれくらいで検査が終わるかを具体的に把握することができ、血圧脈波検査が最後まで終わったかを直感的に理解することができる。よって、血圧脈波検査の途中であるにも拘わらず、被検者が、検査が終了したと勘違いしてしまうことを防止することができる。
【００２８】
また被検者が進行状況の表示が見られないような場合でも、操作者が進行状況の表示を確認することにより、被検者に対し検査が終了したのか否か、あとどの程度で検査が終了するのか、適切な指導をすることが出来るようになり、被検者の勘違いを防止できる。
【００２９】
次に、本実施の形態における血圧脈波検査装置１００の動作について説明する。図３は、本実施の形態における血圧脈波検査装置１００の動作例を示すフローチャートである。図３に示すフローチャートは、血圧脈波検査装置１００の電源が投入されることにより開始する。
【００３０】
まず、操作受付部２００は、操作入力部１２０を介して、血圧脈波検査の実行を指示する実行指示操作を受け付けたか否かについて判定する（ステップＳ１００）。もし、実行指示操作を受け付けていないと操作受付部２００にて判定した場合（ステップＳ１００にてＮＯ）、処理はステップＳ１００に遷移する。
【００３１】
一方、実行指示操作を受け付けたと操作受付部２００にて判定した場合（ステップＳ１００にてＹＥＳ）、操作受付部２００は、実行指示操作を受け付けた旨を検査実行制御部２２０に通知する。次に、検査実行制御部２２０は、実行指示操作を受け付けた旨の通知を操作受付部２００から受けて、内容の異なる複数の検査を含む血圧脈波検査の実行を開始する（ステップＳ１２０）。
【００３２】
次に、進行状況判断部３００は、検査実行制御部２２０からの検査通知を受けることによって、実行される複数の検査の進行状況を判断する（ステップＳ１４０）。そして、進行状況判断部３００は、判断した進行状況を示す進行状況情報を計測画面生成部３２０に出力する。
【００３３】
次に、計測画面生成部３２０は、心音計測部２４０から出力された心音信号、心電図計測部２６０から出力された心電図信号、血圧脈波計測部２８０から出力された脈波信号および血圧信号に基づいて、血圧脈波検査の実行過程において計測された各生体情報を一元的に表示するための計測画面を生成する（ステップＳ１６０）。本実施形態では、計測画面生成部３２０は、進行状況判断部３００から出力された進行状況情報に基づいて、検査実行制御部２２０により実行される複数の検査の進行状況を示す工程表を生成し、当該生成した工程表を含めて計測画面を生成する。
【００３４】
次に、表示制御部３４０は、計測画面生成部３２０により生成された計測画面をディスプレイ１４０に表示する（ステップＳ１８０）。最後に、血圧脈波検査装置１００は、検査実行制御部２２０の実行状態を確認し、血圧脈波検査に含まれる全ての検査が実行されたか否かについて判定する（ステップＳ２００）。もし、血圧脈波検査に含まれる全ての検査が実行されていないと血圧脈波検査装置１００にて判定した場合（ステップＳ２００にてＮＯ）、処理はステップＳ１４０に遷移する。一方、血圧脈波検査に含まれる全ての検査が実行されたと血圧脈波検査装置１００にて判定した場合（ステップＳ２００にてＹＥＳ）、血圧脈波検査装置１００は、図３における処理を終了する。
【００３５】
以上詳しく説明したように、本実施の形態の血圧脈波検査装置１００は、被検者に対して内容の異なる複数の検査を進行順序に沿って順次実行する検査実行制御部２２０と、検査実行制御部２２０により実行される複数の検査の進行状況を判断する進行状況判断部３００と、進行状況判断部３００により判断された進行状況をディスプレイ１４０に表示するように制御する表示制御部３４０とを備えている。そして、表示制御部３４０は、検査の進行状況を表示するために、検査実行制御部２２０により既に実行された検査、検査実行制御部２２０により現時点で実行されている検査、および、検査実行制御部２２０により今後実行される検査をそれぞれ識別可能に表示する。
【００３６】
このように構成した本実施の形態によれば、被検者に対して順次実行される複数の検査の進行状況が表示され、被検者や操作者は、あとどれくらいで検査が終わるかを具体的に把握することができ、血圧脈波検査が最後まで終わったかを直感的に理解することができる。よって、血圧脈波検査の途中であるにも拘わらず、被検者が、検査が終了したと勘違いしてしまうことを防止することができる。
【００３７】
また被検者が進行状況の表示が見られないような場合でも、操作者が進行状況の表示を確認することにより、被検者に対し検査が終了したのか否か、あとどの程度で検査が終了するのか、適切な指導をすることが出来るようになり、被検者の勘違いを防止できる。
【００３８】
以上に説明した実施の形態による血圧脈波検査装置１００の機能は、ソフトウェアによって実現される。実際には、血圧脈波検査装置１００がＣＰＵあるいはＭＰＵ、ＲＡＭ、ＲＯＭなどを備えたコンピュータとして構成され、ＲＡＭやＲＯＭに記憶されたプログラム（本発明の「進行状況表示プログラム」に対応）が動作することによって実現できる。なお、本実施の形態の機能を果たすように動作させるプログラムを例えばＣＤ−ＲＯＭのような記録媒体に記録し、血圧脈波検査装置１００に読み込ませることによって実現することも可能である。
【００３９】
上記プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、上記プログラムをインターネット等のネットワークを介して血圧脈波検査装置１００にダウンロードするようにしても良い。
【００４０】
なお、上記実施の形態では、血圧脈波検査装置１００が、本発明の「生体検査装置」に対応する例について説明したが、本発明はこれに限らない。要は、本発明の「生体検査装置」に対応するのは、被検者に対して測定方法や測定箇所などの内容の異なる複数の検査を進行順序に沿って順次実行する生体検査装置であれば何れでも良い。
【００４１】
また、上記実施の形態では、検査の進行状況を表示する態様として、検査実行制御部２２０により実行される複数の検査の進行状況を示す工程表を表示する例について説明したが、本発明はこれに限らない。例えば、検査の進行状況を表示する態様として、「現時点で実行されている検査の実行順番／血圧脈波検査に含まれる検査数」で示される分数形式にて表示するようにしても良い。例えば、血圧脈波検査に含まれる検査数が５で、現時点で実行されている検査の実行順番が２であれば「２／５」の分数形式で表示する。この表示形式によっても、被検者や操作者は、あとどれくらい（例えば、３つの検査）で血圧脈波検査が終わるかを具体的に把握することができ、検査が最後まで終わったかを直感的に理解することができる。
【００４２】
また、上記実施の形態では、検査の進行状況を表示するために、既に実行された検査、現時点で実行されている検査、および、今後実行される検査をそれぞれ識別可能に表示する例について説明したが、既に実行された検査の表示は必ずしも必須ではない。この場合でも、被検者や操作者は、あとどれくらいで血圧脈波検査が終わるかを具体的に把握することができ、検査が最後まで終わったかを直感的に理解することができる。
【００４３】
また、上記実施の形態では、検査実行制御部２２０により実行される複数の検査の進行状況を示す工程表を計測画面に含めて表示する例について説明したが、本発明はこれに限らない。例えば、計測画面とは分けて、検査実行制御部２２０により実行される複数の検査の進行状況を示す工程表を単独で表示するようにしても良い。
【００４４】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００４５】
１００  血圧脈波検査装置
１２０  操作入力部
１４０  ディスプレイ
２００  操作受付部
２２０  検査実行制御部
２４０  心音計測部
２６０  心電図計測部
２８０  血圧脈波計測部
３００  進行状況判断部
３２０  計測画面生成部
３４０  表示制御部
【図１】
0005985855.tif 000002
【図２】
0005985855.tif 000003
【図３】
0005985855.tif 000004